(57)【要約】【課題】パワーアンプ固有の特性に応じた隣接チャネル漏洩電力の劣化を補償する隣接チャネル漏洩電力制御装置を得る。【解決手段】各パワーアンプ５の個体差に対応できるように、パワーアンプ５の周囲温度およびパワーアンプ５に供給される電源電圧の各変化に応じて最適な隣接チャネル漏洩電力が得られるゲート電圧を測定し、その測定結果をゲート電圧情報テーブルとしてメモリ１０に予め記録しておき、送信機の動作時においては、ＣＰＵ１１が、検出される周囲温度および電源電圧に対応したゲート電圧をメモリ１０から読み出し、そのゲート電圧をパワーアンプ５に供給するようにしたので、そのパワーアンプ５の固有の特性を考慮し、周囲温度および電源電圧の変化に対応した隣接チャネル漏洩電力の劣化を補償することができる。【選択図】        図１
2005012681.tif 000002
【特許請求の範囲】
【請求項１】
電源電圧に応じて変調された高周波信号を増幅すると共に、制御電圧に応じて隣接チャネル漏洩電力が調整される電力増幅手段と、
上記電力増幅手段の周囲温度を検出する温度検出手段と、
上記電力増幅手段の周囲温度に対応した隣接チャネル漏洩電力を最適にするその電力増幅手段固有の制御電圧を記憶した記憶手段と、
上記温度検出手段により検出された周囲温度に応じた制御電圧を上記記憶手段から読み出し、その制御電圧を上記電力増幅手段に供給する制御手段とを備えた隣接チャネル漏洩電力制御装置。
【請求項２】
電源電圧に応じて変調された高周波信号を増幅すると共に、制御電圧に応じて隣接チャネル漏洩電力が調整される電力増幅手段と、
上記電力増幅手段に供給される電源電圧を検出する電圧検出手段と、
上記電力増幅手段に供給される電源電圧に対応した隣接チャネル漏洩電力を最適にするその電力増幅手段固有の制御電圧を記憶した記憶手段と、
上記電圧検出手段により検出された電源電圧に応じた制御電圧を上記記憶手段から読み出し、その制御電圧を上記電力増幅手段に供給する制御手段とを備えた隣接チャネル漏洩電力制御装置。
【発明の詳細な説明】
【０００１】
【発明の属する技術分野】
この発明は、無線装置の送信機に用いられるパワーアンプの周囲温度変動および電源電圧変動による隣接チャネル漏洩電力の劣化を補償する隣接チャネル漏洩電力制御装置に関するものである。
【０００２】
【従来の技術】
従来では、無線装置の送信機において、パワーアンプの周囲温度をサーミスタを用いて検出すると共に、そのサーミスタおよび抵抗群からなる回路を用いて、パワーアンプのゲート電圧を制御し、パワーアンプの周囲温度が変化しても利得が一定になるように制御するものがある（例えば、特許文献１参照）。
【０００３】
【特許文献１】
特開平１１−１４５８５５号公報
【０００４】
【発明が解決しようとする課題】
従来の利得制御装置は以上のように構成されているので、無線装置の送信機におけるパワーアンプの周囲温度変化による利得変動を補償するものであり、パワーアンプの隣接チャネル漏洩電力の劣化、すなわち、送信チャネル（周波数）の変調帯域内の送信電力と、隣接するチャネルの変調帯域に漏れる電力との比の劣化を補償することはできなかった。
また、無線装置が量産機種の場合には、沢山のパワーアンプが生産されるが、それらパワーアンプが一様な利得温度特性を有するものとして利得を温度補償しており、パワーアンプ固有の特性を考慮した補償をすることができないなどの課題があった。
【０００５】
この発明は上記のような課題を解決するためになされたもので、電力増幅手段固有の特性に応じた隣接チャネル漏洩電力の劣化を補償する隣接チャネル漏洩電力制御装置を得ることを目的とする。
【０００６】
【課題を解決するための手段】
この発明に係る隣接チャネル漏洩電力制御装置は、電力増幅手段の周囲温度に対応した隣接チャネル漏洩電力を最適にするその電力増幅手段固有の制御電圧を記憶した記憶手段と、温度検出手段により検出された電力増幅手段の周囲温度に応じた制御電圧を記憶手段から読み出し、その制御電圧を電力増幅手段に供給する制御手段とを備えたものである。
【０００７】
【発明の実施の形態】
以下、この発明の実施の一形態を説明する。
実施の形態１．
図１はこの発明の実施の形態１による送信機に用いられた隣接チャネル漏洩電力制御装置を示す構成図であり、図において、ベースバンド回路１は、ＩチャネルおよびＱチャネルのベースバンド信号を出力し、直交変調器２は、ベースバンド信号を中間周波（ＩＦ）信号に変調し、アップコンバータ３は、中間周波信号を高周波（ＲＦ）信号に変換するものである。ドライバアンプ４およびパワーアンプ（電力増幅手段）５は、高周波信号を所定の電力に増幅し、アンテナ６は、増幅された高周波信号を空中に放射するものである。
なお、パワーアンプ５は、電源電圧に応じて高周波信号を増幅すると共に、ゲート電圧に応じて隣接チャネル漏洩電力が調整されるものである。
【０００８】
また、サーミスタ（温度検出手段）７は、パワーアンプ５の周囲温度を検出するものであり、抵抗８は、電源およびサーミスタ７間に接続され、サーミスタ７と共にパワーアンプ５の周囲温度に応じたアナログ信号を出力するものである。
抵抗群（電圧検出手段）９は、パワーアンプ５に供給される電源電圧を検出するものであり、その電源電圧を分圧し、電源電圧に応じたアナログ信号を出力するものである。
メモリ（記憶手段）１０は、パワーアンプ５の周囲温度およびパワーアンプ５に供給される電源電圧に対応した隣接チャネル漏洩電力を最適にするそのパワーアンプ５固有のゲート電圧を記憶したものである。
ＣＰＵ（制御手段）１１は、サーミスタ７および抵抗８から出力されたアナログ信号をデジタル信号に変換するＡ／Ｄ変換器１２ａと、抵抗群９から出力されたアナログ信号をデジタル信号に変換するＡ／Ｄ変換器１２ｂと、デジタルのゲート電圧をアナログのゲート電圧に変換するＤ／Ａ変換器１３とを内蔵し、パワーアンプ５の周囲温度およびパワーアンプ５に供給される電源電圧に対応したゲート電圧をメモリ１０から読み出し、そのゲート電圧をパワーアンプ５に供給するものである。
【０００９】
次に動作について説明する。
一般に、無線装置の隣接チャネル漏洩電力は、一定の値以下であることが規定されているが、無線装置のパワーアンプ５は、その周囲温度の変化により隣接チャネル漏洩電力が変動する。また、パワーアンプ５は、消費電流が多いため外部電源を直接使用する場合が多く、電源電圧の変動を受け易く、隣接チャネル漏洩電力が劣化する。さらに、パワーアンプ５の温度特性や電圧特性の個体差により、隣接チャネル漏洩電力が劣化する場合がある。
【００１０】
そこで、メモリ１０にゲート電圧情報テーブルを設け、周囲温度および電源電圧に対応したゲート電圧を記憶しておく。
図２はゲート電圧情報テーブルを示す説明図である。図に示すように、ゲート電圧情報テーブルは、パワーアンプ５の周囲温度Ｔ１，Ｔ２，・・・Ｔｎ−１，Ｔｎおよびパワーアンプ５に供給される電源電圧Ｖ１，Ｖ２，・・・Ｖｎ−１，Ｖｎに対応したゲート電圧Ｖｇ１１〜Ｖｇｎｎが記憶されている。
このゲート電圧の設定は、各パワーアンプ５の個体差に対応できるように、例えば、図１に示された回路を組み込んだ後の検査段階において、周囲温度および電源電圧の各変化に応じて最適な隣接チャネル漏洩電力が得られる各ゲート電圧を測定し、それら検査結果により得られた周囲温度Ｔ１，Ｔ２，・・・Ｔｎ−１，Ｔｎ、電源電圧Ｖ１，Ｖ２，・・・Ｖｎ−１，Ｖｎに対応したゲート電圧Ｖｇ１１〜Ｖｇｎｎをゲート電圧情報テーブルとしてメモリ１０に記録しておく。
【００１１】
そして、送信機の動作時においては、図１において、ＣＰＵ１１は、一定周期でサーミスタ７および抵抗８からパワーアンプ５の周囲温度に応じたアナログ信号を取得すると共に、抵抗群９からパワーアンプ５に供給される電源電圧に応じたアナログ信号を取得し、Ａ／Ｄ変換器１２ａ，１２ｂは、それらアナログ信号をデジタル信号に変換する。
ＣＰＵ１１は、それらデジタル信号、すなわち、パワーアンプ５の周囲温度およびパワーアンプ５に供給される電源電圧に対応したゲート電圧をメモリ１０から一つ読み出し、Ｄ／Ａ変換器１３は、そのデジタルのゲート電圧をアナログのゲート電圧に変換し、パワーアンプ５に供給する。
その結果、パワーアンプ５は、そのゲート電圧に応じて隣接チャネル漏洩電力が調整されるものであるから、そのパワーアンプ５の固有の特性に応じた周囲温度および電源電圧に対応した最適な隣接チャネル漏洩電力に調整することができる。
【００１２】
以上のように、この実施の形態１によれば、各パワーアンプ５の個体差に対応できるように、周囲温度および電源電圧の各変化に応じて最適な隣接チャネル漏洩電力が得られるゲート電圧を測定し、その測定結果をゲート電圧情報テーブルとしてメモリ１０に予め記録しておき、送信機の動作時においては、ＣＰＵ１１が、検出される周囲温度および電源電圧に対応したゲート電圧をメモリ１０から読み出し、そのゲート電圧をパワーアンプ５に供給するようにしたので、そのパワーアンプ５の固有の特性を考慮し、周囲温度および電源電圧の変化に対応した隣接チャネル漏洩電力の劣化を補償することができる。
【００１３】
【発明の効果】
以上のように、この発明によれば、温度検出手段により検出された電力増幅手段の周囲温度に応じた隣接チャネル漏洩電力を最適にするその電力増幅手段固有の制御電圧を記憶手段から読み出し、その制御電圧を電力増幅手段に供給するように構成したので、その電力増幅手段固有の特性に応じた周囲温度変化による隣接チャネル漏洩電力の劣化を補償することができる効果がある。
【図面の簡単な説明】
【図１】この発明の実施の形態１による送信機に用いられた隣接チャネル漏洩電力制御装置を示す構成図である。
【図２】ゲート電圧情報テーブルを示す説明図である。
【符号の説明】
１  ベースバンド回路、２  直交変調器、３  アップコンバータ、４  ドライバアンプ、５  パワーアンプ（電力増幅手段）、６  アンテナ、７  サーミスタ（温度検出手段）、８  抵抗、９  抵抗群（電圧検出手段）、１０  メモリ（記憶手段）、１１  ＣＰＵ（制御手段）、１２ａ，１２ｂ  Ａ／Ｄ変換器、１３  Ｄ／Ａ変換器。
【図１】
2005012681.tif 000003
【図２】
2005012681.tif 000004